(57)【要約】【課題】引戸扉の重量が大きな上吊り式レール引戸でも、上吊り用レールの戸車受部が垂れ下がることのない上吊り式レール引戸を提供すること。【解決手段】上枠２ａに並設して開放側を下向きに取り付けた断面Ｃ字状の上吊り用レール３に、戸車５ａを配設した上吊り用ブラケット５を介して引戸扉４を取り付けるようにした上吊り式レール引戸１において、隣り合う上吊り用レール３のリップ部３ａに外側から当接する補強部材１０を上吊り用レール３間に配設する。【選択図】図２
2008190144.tif 000002
【特許請求の範囲】
【請求項１】
上枠に並設して開放側を下向きに取り付けた断面Ｃ字状の上吊り用レールに、戸車を配設した上吊り用ブラケットを介して引戸扉を取り付けるようにした上吊り式レール引戸において、隣り合う上吊り用レールのリップ部に外側から当接する補強部材を上吊り用レール間に配設したことを特徴とする上吊り式レール引戸。
【請求項２】
補強部材を上枠に固定したことを特徴とする請求項１記載の上吊り式レール引戸。
【請求項３】
補強部材を上吊り用レールに接着固定したことを特徴とする請求項１記載の上吊り式レール引戸。
【請求項４】
補強部材を上吊り用レールの長手方向の継ぎ目部分に配設したことを特徴とする請求項１、２又は３記載の上吊り式レール引戸。
【発明の詳細な説明】
【技術分野】
【０００１】
本発明は、上吊り式レール引戸に関し、特に、上吊り用レールの戸車受部（以下、「リップ部」という。）が引戸の自重によって垂れ下がることを防止する上吊り式レール引戸に関するものである。
【背景技術】
【０００２】
従来、上吊り式レール引戸としては、図５〜図７に示すような上吊り式レール引戸が提案されている。
【０００３】
この上吊り式レール引戸５０は、壁面の開放部（出入口部）に取り付ける上枠２ａ、下枠２ｃ及び左右の両竪枠２ｂ、２ｂからなる引戸枠部材２と、上枠２ａに取り付けた複数（図例では３本）の上吊り用レール３と、上吊り用レール３に戸車５ａを配設した上吊り用ブラケット５を介して取り付けた引戸扉４とから構成されている。
【０００４】
上吊り用レール３は、開放側を下向きにした断面Ｃ字状構造とし、上吊り用ブラケット５の上部に配備した戸車５ａを、上吊り用レール３の下方両端から内側に向かって突設するリップ部３ａに載置する。
そして、上枠２ａに図例３本の上吊り用レール３を平行に配備し、上吊り用レール３の間にスペーサ５１をボルト等の固着手段により所定間隔に取り付けることによって上吊り用レール３の位置決めを行う。
【０００５】
上吊り用レール３は、レール取付孔３ｂを介し、ボルト等の固着手段により上枠２ａに固定するようにしている。
【０００６】
この状態で、図６に示すように、上吊り用レール３に挿入した上吊り用ブラケット５の下部は、上枠２ａより下方に露出しており、上吊り用ブラケット５の下部に形成した引戸取付孔５ｂと引戸扉４の上面をボルト等の固着手段により固定することによって上吊り式レール引戸を完成させるようにしている（例えば、特許文献１の図５及び図７参照）。
【０００７】
ところで、この上吊り式レール引戸５０を、例えば、学校用の間仕切りとして使用する場合、図５に示すような、引戸扉４の扉高さＨが２４００ｍｍを越えるような大開口の教室などに使用するときは、走行の際、引戸扉４の重量を受け、上吊り用レール３の左右のリップ部３ａが図７に示すように垂れ下がる。
この垂れ下がり量が両リップ部３ａにおいて均等でないことから引戸扉４の直進走行に支障をきたすという問題があった。
【０００８】
また、図５に示すように、上吊り式レール引戸５０のように開口幅Ｗが、例えば、５０００ｍｍを越える場合には、所定長さの上吊り用レール３を継ぎ足して１本の直線レールにする必要があり、上吊り用レール３の継ぎ目部分において、リップ部に垂れ下がりを生じている前部側レールの後端とまたリップ部３ａに垂れ下がりを生じていない後部側レールの前端とに段差が生じ、引戸扉４の走行に支障をきたしたり、走行できなくなるという問題もあった。
【特許文献１】特許第３２４５５５９号公報
【発明の開示】
【発明が解決しようとする課題】
【０００９】
本発明は、上記従来の上吊り式レール引戸の有する問題点に鑑み、引戸扉の重量が大きな上吊り式レール引戸でも、上吊り用レールのリップ部が垂れ下がることのない上吊り式レール引戸を提供することを目的とする。
【課題を解決するための手段】
【００１０】
上記目的を達成するため、本発明の上吊り式レール引戸は、上枠に並設して開放側を下向きに取り付けた断面Ｃ字状の上吊り用レールに、戸車を配設した上吊り用ブラケットを介して引戸扉を取り付けるようにした上吊り式レール引戸において、隣り合う上吊り用レールのリップ部に外側から当接する補強部材を上吊り用レール間に配設したことを特徴とする。
【００１１】
この場合において、補強部材を上枠に固定することができる。
【００１２】
また、この場合において、補強部材を上吊り用レールに接着固定することもできる。
【００１３】
さらに、これらの場合において、補強部材を上吊り用レールの長手方向の継ぎ目部分に配設することができる。
【発明の効果】
【００１４】
本発明の上吊り式レール引戸によれば、隣り合う上吊り用レールのリップ部に外側から当接する補強部材を上吊り用レール間に配設するようにしたから、開放側を下向きにして並設した断面Ｃ字状の上吊り用レールであっても、隣り合う上吊り用レールのリップ部を補強部材によって支え、リップ部が垂れ下がることを防止することができる。
【００１５】
また、補強部材を上枠に固定するときは、補強部材によるリップ部の保持を強固に行うことができる。
【００１６】
また、補強部材を上吊り用レールに接着固定するときは、補強部材の取り付け位置を自由に設定することができるとともに、取り付け作業も簡便に行うことが行うことができる。
【００１７】
また、補強部材を上吊り用レールの長手方向の継ぎ目部分に配設することにより、継ぎ目部分で生じる段差の発生を有効に防止することができる。
【発明を実施するための最良の形態】
【００１８】
以下、本発明の上吊り式レール引戸の実施の形態を、図面に基づいて説明する。
なお、従来装置と同様の構造については同一の符号、一連の符号を付し説明を省略する。
【実施例１】
【００１９】
図１〜図３に、本発明の上吊り式レール引戸の一実施例を示す。
【００２０】
この上吊り式レール引戸１は、従来例と同様、壁面の開放部（出入口部）に取り付ける上枠２ａ、下枠２ｃ及び左右の両竪枠２ｂ、２ｂからなる引戸枠部材２と、上枠２ａに取り付けた複数（図例では３本）の上吊り用レール３と、上吊り用レール３に戸車５ａを配設した上吊り用ブラケット５を介して取り付けた引戸扉４とを主要構成部品とし、さらに、上吊り用レール３間の幅と略々等しい幅をもった断面コ字状の本体部分１１と、本体部分１１のコ字状端部１１ａから外側に突出したレール保持部分１２とからなり、上吊り用レール３と略同長の補強部材１０を上吊り用レール３間に配設するようにしている。
【００２１】
補強部材１０は、その材質や製造方法、特に限定されず、例えば、本実施例においては、図３に示すように、金属製の板材を曲げ加工によって製造することができる。
【００２２】
そして、補強部材１０のレール保持部分１２の端縁１２ａを、上吊り用レール３の間に配設したときに、本体部分１１のコ字状端部１１ａよりも上方となるように、すなわち、レール保持部分１２を、端縁１２ａ側が上向きに傾斜するように形成（図３（ｂ）に示す角度θが鋭角となるように形成）することが好ましく、これによって、補強部材１０の配設時に、上吊り用レール３のリップ部３ａに対して、レール保持部分１２の端縁１２ａが最初に当接し、補強部材１０を上枠２ａに対してボルトＢなどの固着手段で固定するときに、レール保持部分１２が若干撓み、上吊り用レール３のリップ部３ａに対して上方に押し上げる力を作用させることができる。
【００２３】
この場合、上枠２ａに取り付けた複数（図例では３本）の上吊り用レール３のうち、外側の上吊り用レール３の外側のリップ部３ａは、上枠２ａを延設した下端片１３により支持するようにするが、この下端片１３は、略水平に形成するほか、補強部材１０のレール保持部分１２と同様、端縁側が上向きに傾斜するように形成することもできる。
【００２４】
なお、上吊り用レール３は、従来例と同様に、前後両端を開放した構造とし、上吊り用ブラケット５の上部に配備した戸車５ａを、いずれか一方の端部より挿入し、レール取付孔３ｂを介し、ボルト等の固着手段により上枠２ａに固定するようにしている。
【００２５】
そして、隣り合う上吊り用レール３の間に、補強部材１０の本体部分１１を挿入し、本体部分１１の上面に形成した取付孔１１ｂを介して、ボルト等の固着手段により上枠２ａに固定する際に、レール保持部分１２の端縁１２ａが、リップ部３ａの外面に当接し、若干撓むまで、ボルト等の固着手段を上枠２ａに螺合するようにしている。
【００２６】
補強部材１０の配設箇所と配設個数は、特に限定されず、上枠２ａに取り付ける上吊り用レール３の全長に亘って取り付けることができるほか、例えば、補強部材１０の全長が２００ｍｍ程度の場合は、３００〜５００ｍｍピッチ程度で配設するようにしても構わない。
なお、この場合も、上吊り用レール３の継ぎ目部分には補強部材１０を配設することが好ましく、これによって、継ぎ目部分で生じる段差の発生を防止し、引戸扉４の走行に良好にすることができる。
【００２７】
次いで、従来例と同様に、上吊り用レール３に挿入した上吊り用ブラケット５の下部に形成した引戸取付孔５ｂと引戸扉４の上面をボルト等の固着手段によって固定することにより、上吊り式レール引戸１を完成させるようにしている。
【００２８】
上記の実施例では、板材を曲げ成形した断面クランク状としたが、図４（ａ）に示すように中実の凸型断面形状のものとすることができる。
また、補強部材１０はレール間における上枠２ａに固定するほか、図４（ｂ）及び図４（ｃ）に示すように、隣り合うレール３の一方（図４（ｂ）参照）又は両方（図４（ｃ）参照）のリップ部３ａや立上がり部３ｃに接着剤ｓで固定するようにしても構わない。
【００２９】
以上、本発明の上吊り式レール引戸について、その実施例に基づいて説明したが、本発明は上記実施例に記載した構成に限定されるものではなく、その趣旨を逸脱しない範囲において適宜その構成を変更することができるものである。
【産業上の利用可能性】
【００３０】
本発明の上吊り式レール引戸は、引戸扉の重量が大きな上吊り式レール引戸でも上吊り用レールのリップ部が垂れ下がることがないという特性を有していることから、扉の高さが高く、開口幅の広い学校用間仕切りの用途を始めとする上吊り式レール引戸に好適に用いることができる。
【図面の簡単な説明】
【００３１】
【図１】本発明の上吊り式レール引戸の一実施例を示す全体正面図である。
【図２】図１のＸ−Ｘ断面の一部切り欠きの側面図である。
【図３】本発明の上吊り式レール引戸に使用する補強部材を示し、（ａ）は斜視図、（ｂ）は正面図である。
【図４】補強部材の変形例を示す一部切欠の側面図で、（ａ）は中実の凸型断面形状で上枠に固定する例を、（ｂ）は中実の凸型断面形状で上吊り用レールに片側を接着固定した例を、（ｃ）は中実の凸型断面形状で上吊り用レールに両側を接着固定した例である。
【図５】従来の上吊り式レール引戸の全体正面図である。
【図６】図５のＹ−Ｙ断面の一部切り欠きの側面図である。
【図７】上吊り用レールの戸車受部の垂れ下がりを示す断面図である。
【符号の説明】
【００３２】
１    上吊り式レール引戸
２ａ  上枠
３    上吊り用レール
３ａ  戸車受部
４    引戸扉
１０  補強部材
１１  本体部分
１１ａ  コ字状端部
１２  レール保持部分
１２ａ  レール保持部分の端縁
１３  下端片
【図１】
2008190144.tif 000003
【図２】
2008190144.tif 000004
【図３】
2008190144.tif 000005
【図４】
2008190144.tif 000006
【図５】
2008190144.tif 000007
【図６】
2008190144.tif 000008
【図７】
2008190144.tif 000009